(57)【特許請求の範囲】
【請求項１】
照明装置を備えた照明システムのための制御装置であって、前記照明装置が、照明制御装置と光源と内部電力源とを備え、前記照明制御装置が、前記光源が点灯している状態で外部電力源からの電力供給が切断された際に、前記内部電力源からの電力により前記光源を点灯させる非常点灯状態とする制御を行い、前記照明制御装置が、所定の消灯信号を受信した際に、前記光源を消灯させる制御を行う照明装置を備えた照明システムのための制御装置において、
前記制御装置は、単一の人為的操作をうける操作入力部と、前記操作入力部に対する前記人為的操作に基づいて消灯信号を生成し、前記照明装置に送信する消灯信号生成部とを備えると共に、前記外部電力源からの交流を前記照明装置に供給するよう、前記外部電力源と前記照明装置との間に備えられ、
前記消灯信号生成部は、前記人為的操作に基づいて、前記交流の電圧変動が前記消灯信号となるよう当該交流の電圧を調整し、前記照明装置に供給するものであり、
前記消灯信号は、第１時間の低電圧区間と第２時間の高電圧区間と第３時間の低電圧区間からなる電圧信号であり、
前記消灯信号生成部は、
電源と、
スイッチと、
第１タイマーリレーと、
第２タイマーリレーと、
第３タイマーリレーと、
リレーと、を備え、
前記第１タイマーリレーと、前記第２タイマーリレーと、前記第３タイマーリレーとは、それぞれ、制御回路と、第１制御端子と、第２制御端子と、スイッチと、第１端子と、第２端子と、を備え、
前記第１タイマーリレーと、前記第２タイマーリレーと、前記第３タイマーリレーとのそれぞれの前記制御回路は、前記第１制御端子と前記第２制御端子とに前記電源からの電力が供給されてから遅延時間経過後にそれぞれの前記スイッチを操作し、
前記第１タイマーリレーの前記遅延時間は前記第１時間に等しい第１遅延時間に設定され、
前記第２タイマーリレーの前記遅延時間は前記第１時間と前記第２時間との和に等しい第２遅延時間に設定され、
前記第３タイマーリレーの前記遅延時間は前記第１時間と前記第２時間と前記第３時間との和に等しい第３遅延時間に設定され、
前記第１タイマーリレーの前記第１端子と前記第２端子とは、前記スイッチが操作されていない状態で導通状態となり、前記スイッチが操作された状態で切断状態となるよう構成され、
前記第２タイマーリレーの前記第１端子と前記第２端子とは、前記スイッチが操作されていない状態で切断状態となり、前記スイッチが操作された状態で導通状態となるよう構
成され、
前記第３タイマーリレーの前記第１端子と前記第２端子とは、前記スイッチが操作されていない状態で導通状態となり、前記スイッチが操作された状態で切断状態となるよう構成され、
前記リレーは、第１制御端子と、第２制御端子と、第１端子と、第２端子と、第３端子と、第４端子と、第１スイッチと、第２スイッチと、を備え、
前記リレーの前記第１端子と前記第３端子とは前記外部電力源に接続され、
前記リレーの前記第２端子と前記第４端子とは、前記照明装置に前記外部電力源からの電力を供給するための電線に接続され、
前記リレーの前記第１スイッチおよび前記第２スイッチはそれぞれ、前記第１制御端子と前記第２制御端子とに電力が供給された際に、前記第１端子と前記第２端子および前記第３端子と前記第４端子とがそれぞれ導通状態となり、電力が供給されない際にそれぞれ切断状態となるよう構成され、
前記スイッチは、前記人為的操作があった際に、前記第１タイマーリレーと、前記第２タイマーリレーおよび前記第３タイマーリレーのそれぞれの、前記第１制御端子と、前記第２制御端子とに前記電源からの電力を供給するように構成され、
前記第１タイマーリレーの前記第１端子は前記電源に接続され、前記第１タイマーリレーの前記第２端子は前記リレーの前記第１制御端子に接続され、
前記第２タイマーリレーの前記第１端子は前記電源に接続され、前記第２タイマーリレーの前記第２端子は、前記第３タイマーリレーの第２端子に接続され、
前記第３タイマーリレーの第１端子は前記リレーの第１制御端子に接続され、
前記リレーの第２制御端子は前記電源に接続されている、
ことを特徴とする照明システムのための制御装置。
【請求項２】
前記照明装置と、請求項１に記載の制御装置と、を備えた照明システム。
【発明の詳細な説明】
【技術分野】
【０００１】
本発明は、外部電力源からの電力供給が切断された際に使用可能な内部電力源を備えた照明装置のための制御装置およびこれらを用いた照明システムに関する。
【背景技術】
【０００２】
従来、トンネル工事や夜間工事等の現場では照明装置が使用されている。このような現場では、主電線と、その主電線から分岐する複数の枝電線と、を備えた電線を電源装置（外部電力源）に接続するとともに、照明が必要な場所に電線を配設し、各々の枝電線に照明装置を取り付けた照明システムが用いられている（例えば、特許文献１参照）。
【０００３】
しかしながら、電源装置の故障等による停電や、トンネル工事の際の盛り替え時の電源切り替えにより、電力が切断されると、照明装置が点灯せず、危険等の不都合が生じる。
【０００４】
このような課題を解決するために、バッテリー（内部電力源）を備え、電源装置からの電力が切断された際にはバッテリーからの電力により点灯するよう構成された照明装置がある（例えば、特許文献２参照）。このような照明装置では、外部スイッチを「切」操作する等によって電源装置からの電力供給を切断しても、バッテリーによって点灯が継続する。そのため、このような照明装置を外部スイッチの操作のみで消灯させることはできない。特に、このような照明装置を特許文献１に記載されるような照明システムに用いた場合、全ての照明装置を消灯させるためには、各々の照明装置のスイッチを個別に「切」操作する必要があり、非常に煩雑となる。
【先行技術文献】
【特許文献】
【０００５】
【特許文献１】特開２０１５−１３８５８２号公報
【特許文献２】特開２０１４−００２９０４号公報
【発明の概要】
【発明が解決しようとする課題】
【０００６】
特許文献２に記載される照明装置では、上述の課題を解決するために、外部スイッチを特定パターンで「入」「切」操作し、特定の電圧変動を生成することにより、消灯できるよう構成されている。しかしながら、人為的操作によって、特定の電圧変動を生成することは煩雑であり、また、間違いを生じやすい。
【０００７】
本発明は上記課題に鑑みてなされたものであり、その目的は、外部電力源からの電力が切断された際には内部電力源からの電力により点灯するよう構成された照明装置を用いた照明システムにおいて、簡易な操作で消灯させる技術を提供することにある。
【課題を解決するための手段】
【０００８】
上記課題を解決するための、照明装置を備えた照明システムのための制御装置であって、前記照明装置が、照明制御装置と、光源と、内部電力源と、を備え、前記照明制御装置が、前記光源が点灯している状態で外部電力源からの電力供給が切断された際に、前記内部電力源からの電力により前記光源を点灯させる非常点灯状態とする制御を行う、ものの好適な実施形態の一つでは、前記制御装置は、単一の人為的操作をうける操作入力部と、前記操作入力部に対する前記人為的操作に基づいて消灯信号を生成し、前記照明装置に送信する消灯信号生成部と、を備えている。
【０００９】
この構成では、制御装置の操作入力部に対して、単一の操作、例えば、押しボタンの押下や切り替えスイッチの切り替え操作等が行われると、その操作に基づいて消灯信号生成部によって生成された消灯信号が照明装置に送信される。一方、照明装置は、消灯信号を受信すると、外部電力源および内部電力源のいずれからの電力で点灯している場合であっても、光源を消灯させるよう制御を行う。すなわち、操作者は操作入力部に対する単一の操作を行うだけで、照明装置を消灯させることができる。
【００１０】
また、照明システムのための制御装置の好適な実施形態の一つでは、前記制御装置は、前記外部電力源からの交流を前記照明装置に供給するよう、前記外部電力源と前記照明装置との間に備えられ、前記消灯信号生成部は、前記人為的操作に基づいて、前記交流の電圧変動が前記消灯信号となるよう当該交流の電圧を調整し、前記照明装置に供給する。
【００１１】
この構成では、外部電力源からの交流の電圧を消灯信号として使用するため、消灯信号を送るための電線等を別途設ける必要がなく、照明システムの構成が簡易となる。
【００１２】
このような消灯信号生成部は様々な構成とすることができるが、その好適な実施例の一つでは、前記消灯信号は、第１時間の低電圧区間と第２時間の高電圧区間と第３時間の低電圧区間からなる電圧信号であり、前記消灯信号生成部は、電源と、スイッチと、第１タイマーリレーと、第２タイマーリレーと、第３タイマーリレーと、リレーと、を備え、前記第１タイマーリレーと、前記第２タイマーリレーと、前記第３タイマーリレーとは、それぞれ、制御回路と、第１制御端子と、第２制御端子と、スイッチと、第１端子と、第２端子と、を備え、前記第１タイマーリレーと、前記第２タイマーリレーと、前記第３タイマーリレーとのそれぞれの前記制御回路は、前記第１制御端子と前記第２制御端子とに前記電源からの電力が供給されてから遅延時間経過後にそれぞれの前記スイッチを操作し、前記第１タイマーリレーの前記遅延時間は前記第１時間に等しい第１遅延時間に設定され、前記第２タイマーリレーの前記遅延時間は前記第１時間と前記第２時間との和に等しい第２遅延時間に設定され、前記第３タイマーリレーの前記遅延時間は前記第１時間と前記第２時間と前記第３時間との和に等しい第３遅延時間に設定され、前記第１タイマーリレーの前記第１端子と前記第２端子とは、前記スイッチが操作されていない状態で導通状態となり、前記スイッチが操作された状態で切断状態となるよう構成され、前記第２タイマーリレーの前記第１端子と前記第２端子とは、前記スイッチが操作されていない状態で切断状態となり、前記スイッチが操作された状態で導通状態となるよう構成され、前記第３タイマーリレーの前記第１端子と前記第２端子とは、前記スイッチが操作されていない状態で導通状態となり、前記スイッチが操作された状態で切断状態となるよう構成され、前記リレーは、第１制御端子と、第２制御端子と、第１端子と、第２端子と、第３端子と、第４端子と、第１スイッチと、第２スイッチと、を備え、前記リレーの前記第１端子と前記第３端子とは前記外部電力源に接続され、前記リレーの前記第２端子と前記第４端子とは、前記照明装置に前記外部電力源からの電力を供給するための電線に接続され、前記リレーの前記第１スイッチおよび前記第２スイッチはそれぞれ、前記第１制御端子と前記第２制御端子とに電力が供給された際に、前記第１端子と前記第２端子および前記第３端子と前記第４端子とがそれぞれ導通状態となり、電力が供給されない際にそれぞれ切断状態となるよう構成され、前記スイッチは、前記人為的操作があった際に、前記第１タイマーリレーと、前記第２タイマーリレーおよび前記第３タイマーリレーのそれぞれの、前記第１制御端子と、前記第２制御端子とに前記電源からの電力を供給するように構成され、前記第１タイマーリレーの前記第１端子は前記電源に接続され、前記第１タイマーリレーの前記第２端子は前記リレーの前記第１制御端子に接続され、前記第２タイマーリレーの前記第１端子は前記電源に接続され、前記第２タイマーリレーの前記第２端子は、前記第３タイマーリレーの第２端子に接続され、前記第３タイマーリレーの第１端子は前記リレーの第１制御端子に接続され、前記リレーの第２制御端子は前記電源に接続されている。
【００１３】
また、本発明は上述した照明装置と上述のいずれかの制御装置とを備えた照明システムも権利範囲としている。
【図面の簡単な説明】
【００１４】
【図１】照明システムの概略図である。
【図２】照明システムに用いられる照明装置の概略図である。
【図３】照明装置の点灯状態の遷移を表す状態遷移図である。
【図４】照明システムに用いられる制御装置内の結線図である。
【図５】スイッチを操作した際のタイムチャートである。
【図６】外部電力源からの電力供給が変動した際のタイムチャートである。
【発明を実施するための形態】
【００１５】
以下に図面を用いて、本発明に係る照明システムの実施形態を説明する。図１は本発明に係る照明システムの概略図である。本実施例では、照明システムはトンネルＴの工事現場で使用されている。
〔照明システム〕
図に示すように、照明システムは、制御装置１，電線２，複数の照明装置３を備えている。制御装置１は交流電源Ｐ（本発明の外部電力源の例）に接続され、電線２に交流電源Ｐからの電力を供給すると共に照明システムの動作を制御する。電線２は制御装置１に接続された主電線２１と、主電線２１から分岐した複数の枝電線２２を備えている。また、各々の枝電線２２の先端にはソケット２３が備えられている。
〔照明装置〕
各々の照明装置３は、照明が必要な場所に取り付けられる。また、各々の照明装置３には電線３ｃが取り付けられている。電線３ｃの一方の端部にはプラグ３ｐが備えられており、このプラグ３ｐを枝電線２２の先端に備えられたソケット２３に差し込むことにより、照明装置３に交流電源Ｐからの電力を供給することができる。
【００１６】
図２は本実施形態における照明装置３の概略図である。図に示すように、照明装置３は、略円筒形状のケース３１を備え、その内部に、複数のＬＥＤ３５（本発明の光源の例）が取り付けられた基板３４が備えられている。ケース３１の素材としては様々なものを用いることができるが、例えば、ポリカーボネートを用いることができる。また、基板３４の素材としても様々なものを用いることができるが、アルミニウムを使用すれば放熱性が向上するため、好ましい。
【００１７】
ケース３１の第１の端部にはエンドキャップ３２を備え、第２の端部にはカバーチューブ３３が備えられている。照明装置３の第２の端部側の端面には、上述した電線３ｃと、照明装置３を点灯，消灯等させるためのスイッチ３６とが備えられている。また、照明装置３のカバーチューブ３３で覆われた内部には、照明装置３を制御するための照明制御装置４が備えられている。
【００１８】
照明制御装置４は、制御部４１，ＡＣ−ＤＣコンバータ４２，バッテリー４３（本発明の内部電力源の例），電力源切替部４４，ＬＥＤ駆動回路４５，メモリ４６を備えている。制御部４１は、各種制御を行うものであり、例えば、ワンチップマイコン等を用いることができる。ＡＣ−ＤＣコンバータ４２は、電線３ｃを介して交流電源Ｐから供給される交流を直流に変換し、ＬＥＤ３５，バッテリー４３等に供給する。バッテリー４３は、ＡＣ−ＤＣコンバータ４２から供給される電力により充電され、交流電源Ｐからの電力供給が切断された際に、ＬＥＤ３５等に電力を供給する。電力源切替部４４は、ＬＥＤ３５等への電力の供給源を、ＡＣ−ＤＣコンバータ４２またはバッテリー４３のいずれかに切り替えることができる。また、電力の供給を切断することもできる。ＬＥＤ駆動回路４５は、供給された電力によりＬＥＤ３５を駆動し、発光させる。本実施形態では、ＬＥＤ３５を半点灯モードと全点灯モードとの２つのモードで点灯させることができる。本実施形態では、半点灯モードではＬＥＤ３５を５００Ｌｍで点灯させ、全点灯モードではＬＥＤ３５を１０００Ｌｍで点灯させている。
【００１９】
メモリ４６は、最後の点灯モードを記憶することができる。また、メモリ４６は、所定時間分（本実施形態では少なくとも４．５秒分）の交流電源Ｐからの交流（ＡＣ−ＤＣコンバータ４２からの直流）の電圧値を記憶する。メモリ４６としては様々なデバイスを用いることができるが、不揮発性記憶媒体を用いれば、停電等で長時間交流電源Ｐからの電力が供給されなくとも、記憶を保持できるため好ましい。なお、図に結線は示されていないが、制御部４１にはバッテリー４３からの電力が供給されている。これにより、交流電源Ｐからの電力の供給が切断された際にも制御部４１は動作することができる。
〔照明装置の状態の遷移〕
図３は、本実施形態における照明装置３の状態の遷移を表す状態遷移図である。この図を用いて、スイッチ３６の操作および交流電源Ｐから電力供給の有無によって、照明装置３の状態がどのように変化するかを説明する。なお、ここでの初期状態（Ｓ０）では、照明装置３は消灯しており、メモリ４６に最後に点灯した際の点灯モードが記憶されており、交流電力Ｐからの電力供給が切断されているものとする。
【００２０】
以下の説明では、交流電源Ｐからの電力が供給されている状態を「交流電力ＯＮ」、交流電源Ｐからの電力の供給が切断されている状態を「交流電力ＯＦＦ」と表記する。また、電力源切替部４４への電力供給源が、バッテリー４３となっている状態を「バッテリーＯＮ」、交流電源Ｐ（ＡＣ−ＤＣコンバータ４２）となっている状態を「バッテリーＯＦＦ」と表記する。
【００２１】
消灯状態（Ｓ０）において「交流電力ＯＮ」となると、制御部４１はメモリ４６から点灯モードを読み出すとともに、電力源切替部４４に対して、電力供給源がＡＣ−ＤＣコンバータ４２となる、すなわち、「バッテリーＯＦＦ」となるよう制御を行う（Ｓ１）。読み出した点灯モードが「半点灯モード」であれば、制御部４１はＬＥＤ駆動回路４５に対してＬＥＤ３５を５００Ｌｍで駆動するよう指示を出し、ＬＥＤ３５を半点灯させる（Ｓ２）。一方、読み出した点灯モードが「全点灯モード」であれば、制御部４１はＬＥＤ駆動回路４５に対してＬＥＤ３５を１０００Ｌｍで駆動するよう指示を出し、ＬＥＤ３５を全点灯させる（Ｓ３）。
【００２２】
この状態が、交流電源Ｐからの電力により点灯している通常点灯状態である。この通常点灯状態では、制御部４１は、スイッチ３６が操作される毎に「半点灯（Ｓ２）」→「全点灯（Ｓ３）」→「消灯（Ｓ４）」がサイクリックに切り替わるようにＬＥＤ駆動回路４５を制御する。なお、スイッチ３６の操作によってモードが切り替えられた際には、制御部４１は切り替え後のモードをメモリ４６に記憶させる。
【００２３】
照明装置３が点灯している状態（Ｓ２またはＳ３）で、「交流電力ＯＦＦ」となると、制御部４１は交流電源Ｐからの電力の電圧変動のパターンが所定の「消灯信号」の電圧変動パターンに一致するか否かを判定する（Ｓ５）。本実施形態では、「消灯信号」の電圧変動パターンは、１．５秒間の「交流電力ＯＦＦ」（本発明の第１時間の低電圧区間）→１．５秒間の「交流電力ＯＮ」（本発明の第２時間の高電圧区間）→１．５秒の「交流電力ＯＦＦ」（本発明の第３時間の低電圧区間）としている。そのため、制御部４１は、所定時間毎、例えば０．１秒毎、の交流電源Ｐからの交流（ＡＣ−ＤＣコンバータ４２からの直流）の電圧値をメモリ４６に記憶させておき、その記憶した電圧値の変化と前述した「消灯信号」の電圧の変化との比較を行う。なお、メモリ４６には少なくとも過去４．５秒間の電圧値を記憶させておく。
【００２４】
ここで、制御部４１が、交流電源Ｐからの交流電圧の変動のパターンが「消灯信号」の電圧変動のパターンと一致しないと判定すると、制御部４１はバッテリー４３で駆動する非常点灯状態に遷移させる。具体的には、制御部４１は、電力源切替部４４に対して、電力供給源がバッテリー４３となる、すなわち、「バッテリーＯＮ」となるよう制御し、ＬＥＤ駆動回路４５に対して「半点灯モード」でＬＥＤ３５を駆動するよう制御を行う（Ｓ６）。
【００２５】
この非常点灯状態では、制御部４１は、スイッチ３６が操作される毎に「半点灯（Ｓ６）」→「消灯（Ｓ７）」がサイクリックに切り替わるようにＬＥＤ駆動回路４５を制御する。すなわち、非常点灯状態では、消灯は全て「半点灯モード」となる。これにより、バッテリー４３での点灯時間が長くなるようにしている。
【００２６】
非常点灯状態でＬＥＤ３５が「半点灯」している状態で、「交流電力ＯＮ」となると、制御部４１は、メモリ４６から点灯モードを読み出すとともに、電力源切替部４４に対して「バッテリーＯＦＦ」となるよう制御を行う（Ｓ１）。
【００２７】
一方、Ｓ５において、制御部４１が、交流電源Ｐからの交流の電圧変動のパターンが「消灯信号」の電圧変動のパターンと一致すると判定した場合には、制御部４１は、ＬＥＤ駆動回路４５に対してＬＥＤ３５を消灯するよう制御を行う（Ｓ０）。これにより、照明装置３は完全に消灯する。
〔制御装置〕
図４は本実施形態における制御装置１内の結線図である。図に示すように、本実施形態の制御装置１は、直流電源１１（本発明の電源の例），スイッチ１２（本発明の操作入力部の例），第１タイマーリレー１３，第２タイマーリレー１４，第３タイマーリレー１５，パワーリレー１６（本発明のリレーの例）を備えている。なお、図４（ａ）は電力線の結線、図４（ｂ）は制御信号線の結線である。なお、本実施形態では、直流電源１１，スイッチ１２，第１タイマーリレー１３，第２タイマーリレー１４，第３タイマーリレー１５およびパワーリレー１６によって、本発明の消灯信号生成部を構成している。
【００２８】
直流電源１１は、交流電源Ｐからの供給される交流を直流に変換する。変換された直流は、第１タイマーリレー１３，第２タイマーリレー１４，第３タイマーリレー１５およびパワーリレー１６に直接的または間接的に供給される。
【００２９】
第１タイマーリレー１３は、制御回路１３ａ，第１制御端子１３ｂ，第２制御端子１３ｃ，第１端子１３ｄ，第２端子１３ｅおよびスイッチ１３ｆを備えている。第１端子１３ｄは直流電源１１のＶ＋に接続され、第２端子１３ｅはパワーリレー１６の第２制御端子１６ｈに接続されている。第１端子１３ｄと第２端子１３ｅとの間にはスイッチ１３ｆが設けられている。
【００３０】
第１端子１３ｄと第２端子１３ｅとは、いわゆるｂ端子であり、第１制御端子１３ｂと第２制御端子１３ｃとに電力が供給されていない状態（初期状態）では、スイッチ１３ｆは、第１端子１３ｄと第２端子１３ｅとの間が導通状態となる位置にある。制御回路１３ａは、第１制御端子１３ｂおよび第２制御端子１３ｃに供給される電力によって、第１端子１３ｄと第２端子１３ｅとの間が導通または切断となるようにスイッチ１３ｆを制御する。具体的には、制御回路１３ａは、第１制御端子１３ｂおよび第２制御端子１３ｃに電力が供給された後、遅延時間ｔ１（第１遅延時間）経過後に、第１端子１３ｄと第２端子１３ｅとの間が切断状態となるようにスイッチ１３ｆを制御する。本実施形態では、上述した「消灯信号」に対応して、第１遅延時間ｔ１＝１．５秒としている。一方、第１制御端子１３ｂおよび第２制御端子１３ｃへの電力の供給が切断された際には、スイッチ１３ｆは直ちに初期位置に戻り、第１端子１３ｄと第２端子１３ｅとの間は導通状態となる。
【００３１】
第２タイマーリレー１４は、第１タイマーリレー１３と同様の構成となっており、制御回路１４ａは、第１制御端子１４ｂおよび第２制御端子１４ｃに供給される電力によって、スイッチ１４ｆを制御する。ただし、第１端子１４ｄと第２端子１４ｅとは、いわゆるａ端子であり、第１制御端子１４ｂと第２制御端子１４ｃとに電力が供給されていない状態（初期状態）では、スイッチ１４ｆは、第１端子１４ｄと第２端子１４ｅとの間が切断状態となる位置にある。また、第２タイマーリレーの遅延時間ｔ２（第２遅延時間）は第１遅延時間ｔ１よりも長い３秒となっている。
【００３２】
第１端子１４ｄは直流電源１１のＶ＋に接続されており、第２端子１４ｅは第３タイマーリレー１５の第２端子１５ｅに接続されている。すなわち、第２タイマーリレー１４の出力が第３タイマーリレー１５に入力されている。
【００３３】
第３タイマーリレー１５は、第１タイマーリレーと同様の構成となっており、制御回路１５ａは、第１制御端子１５ｂおよび第２制御端子１５ｃに供給される電力によって、スイッチ１５ｆを開閉制御する。ただし、第３タイマーリレーの遅延時間ｔ３（第３遅延時間）は第２遅延時間ｔ２よりも長い４．５秒となっている。また、第２端子１５ｅは上述したように第２タイマーリレー１４の第２端子１４ｅに接続されており、第１端子１５ｄはパワーリレー１６の第２制御端子１６ｈに接続されている。
【００３４】
パワーリレー１６は第１端子１６ａ，第２端子１６ｂ，第３端子１６ｃ，第４端子１６ｄ，第１スイッチ１６ｅ，第２スイッチ１６ｆ，第１制御端子１６ｇ，第２制御端子１６ｈ，制御部１６ｉを備えている。第１端子１６ａおよび第３端子１６ｃは交流電源Ｐに接続されている。第１端子１６ａと第２端子１６ｂとの間には第１スイッチ１６ｅが備えられている。また、第３端子１６ｃと第４端子１６ｄとの間には第２スイッチ１６ｆが備えられている。
【００３５】
第２制御端子１６ｈには上述したように、第１タイマーリレー１３の第２端子１３ｅと第３タイマーリレー１５の第１端子１５ｄとが接続されている。一方、第１制御端子１６ｈは直流電源１１のＶ−に接続されている。制御部１６ｉは、第１制御端子１６ｇと第２制御端子１６ｈとに電力が供給されているときに第１スイッチ１６ｅおよび第２スイッチ１６ｆを「閉」状態に制御する。すなわち、パワーリレー６の端子はいずれもいわゆるａ端子である。
【００３６】
スイッチ１２は、人為的に「開」「閉」操作可能であり、これにより第１タイマーリレー１３，第２タイマーリレー１４および第３タイマーリレー１５へ電力を供給したり切断したりすることができる。照明装置３が通常の点灯状態では、このスイッチ１２は「開」状態となっている。
【００３７】
以下に、スイッチ１２が「開」状態のときの直流電源１１からの電力の流れを説明する。この状態では、第１タイマーリレー１３，第２タイマーリレー１４および第３タイマーリレー１５の各々の制御回路１３ａ，１４ａおよび１５ａには電力が供給されていない。したがって、各々のスイッチ１３ｆ，１４，および１５ｆは初期状態である。そのため、第１タイマーリレー１３の第１端子１３ｄと第２端子１３ｅとは導通状態となる。同様に、第３タイマーリレー１５の第１端子１５ｄと第２端子１５ｅとは導通状態となる。一方、第２タイマーリレー１４の第１端子１４ｄと第２端子１４ｅとは切断状態となる。よって、直流電源１１のＶ＋は、第１タイマーリレー１３を介してパワーリレー１６の第２制御端子１６ｈと導通状態となり、パワーリレー１６の第１制御端子１６ｇと第２制御端子１６ｈとには、電力が供給される。そのため、パワーリレー１６の第１スイッチ１６ｅおよび第２スイッチ１６ｆは「閉」状態となる。これにより、パワーリレー１６の第１端子１６ａと第２端子１６ｂ，第３端子１６ｃと第４端子１６ｄとはそれぞれ導通状態となり、交流電源Ｐからの電力はパワーリレー１６を介して電線２に供給される。よって、照明装置３は点灯状態となる。
〔照明システムの挙動〕
図５は、スイッチ１２を操作した際のタイムチャートである。同図と図３のフローチャートを参照しながら、制御装置１および照明装置３の挙動を説明する。なお、図５では、交流電源Ｐについて、交流電源Ｐから電力が供給されている状態を「入」、停電や交流電源Ｐのスイッチの「切」操作等によって、交流電源Ｐから電力が供給されていない状態を「切」と表記している。スイッチ１２については、スイッチ１２の操作によって、直流電源１１と第１タイマーリレー１３等とが導通している状態を「閉」、導通していない状態を「開」と表記している。第１タイマーリレー等については、第１端子１３ｄ等と第２端子１３ｅ等とが導通している状態を「閉」、導通していない状態を「開」と表記している。パワーリレー１６についても同様に、第１端子１６ａ等と第２端子１６ｂとが導通状態、すなわち、第１スイッチ１６ｅ等が「閉」である状態を「閉」と表記している。また、照明装置３が点灯している状態を「灯」、消灯している状態を「消」と表記している。
【００３８】
図５のタイムチャートの初期状態では、交流電源Ｐは通電しており、スイッチ１２は「開」状態となっている。この状態では、第１タイマーリレー１３，第２タイマーリレー１４および第３タイマーリレー１５の制御端子１３ｂ，１３ｃ，１４ｂ，１４ｃ，１５ｂおよび１５ｃには電力が供給されていない。したがって、第１タイマーリレー１３と第３タイマーリレー１５とは「閉」状態であり、第２タイマーリレー１４は「開」状態である。そのため、直流電源１１からの電力は、パワーリレー１６の第１制御端子１６ｇと第２制御端子１６ｈとに供給され、パワーリレー１６も「閉」状態となる。したがって、交流電源Ｐからの電力はパワーリレー１６および電線２を介して照明装置３に供給され、照明装置３は「灯」状態となる。これは、図３のフローチャートでは、Ｓ２またはＳ３の状態である。
【００３９】
このような状態で、時刻Ｔ１でスイッチ１２が人為的に「閉」状態に操作（本発明の人為的操作の例）される。すると、直流電源１１からの電力は第１タイマーリレー１３等の第１制御端子１３ｂ，第２制御端子１３ｃ等に供給される。しかし、上述したように、第１タイマーリレー１３，第２タイマーリレー１４および第３タイマーリレー１５は、各々遅延時間ｔ１（＝１．５秒），ｔ２（＝３秒）およびｔ３（＝４．５秒）が設定されており、その遅延時間が経過しなければスイッチ１３ｆ等の状態は変化しない。したがって、時刻Ｔ１から１．５秒経過するまで（時刻Ｔ２まで）は、各リレーおよび照明装置３の状態は変化しない。
【００４０】
時刻Ｔ１から１．５秒経過する（時刻Ｔ２になる）と、第１タイマーリレー１３のスイッチ１３ｆの状態が変化し、第１タイマーリレー１３は「開」状態となる。一方、第２タイマーリレー１４は「開」状態のままである。したがって、直流電源１１からパワーリレー１６への電力の供給が切断され、パワーリレー１６は「開」状態となる。したがって、交流電源Ｐから照明装置３への電力の供給が切断される。この挙動は、図３のフローチャートでは、Ｓ２またはＳ３からＳ５への遷移である。すると、Ｓ５では、照明装置３の制御部４１が、このとき（時刻Ｔ２）から４．５秒前までの電圧変動パターンが「消灯信号」の電圧変動パターンと一致するか否かを判定する。上述したように、本実施形態における「消灯信号」の電圧変動パターンは、１．５秒間の「交流電力ＯＦＦ」→１．５秒間の「交流電力ＯＮ」→１．５秒の「交流電力ＯＦＦ」としているため、ここでは「消灯信号」ではないと判定される。そのため、Ｓ５からＳ６に遷移し、照明装置３の制御部４１は、「バッテリーＯＮ」および「半点灯モード」となるように制御する。これにより、照明装置３は非常点灯状態となり、バッテリー４３駆動によって半点灯される（図５のハッチング部分）。
【００４１】
時刻Ｔ２からさらに１．５秒経過、すなわち、時刻Ｔ１から３秒経過する（時刻Ｔ３になる）と、第２タイマーリレー１４のスイッチ１４ｆの状態が変化し、第２タイマーリレー１４が「閉」状態となる。このとき、第３タイマーリレーは「閉」状態である。したがって、直流電源１１からパワーリレー１６への電力の供給が再開され、パワーリレー１６は「閉」状態となり、交流電源Ｐから照明装置３への電力の供給も再開される。この挙動は、図３のフローチャートでは、Ｓ６からＳ１への遷移である。すると、Ｓ１では、照明装置３の制御部４１は、「バッテリーＯＦＦ」およびメモリ４６から読み出した点灯モードとなるように制御を行う（Ｓ１からＳ２またはＳ３への遷移）。これにより、照明装置３は、交流電源Ｐからの電力によって点灯される。
【００４２】
時刻Ｔ３からさらに１．５秒経過、すなわち、時刻Ｔ１から４．５秒経過する（時刻Ｔ４になる）と、第３タイマーリレー１５のスイッチ１５ｆの状態が変化し、第３タイマーリレー１５が「開」状態となる。このとき、第１タイマーリレー１３も「開」状態である。したがって、直流電源１１からパワーリレー１６への電力の供給が再び切断され、パワーリレー１６は「開」状態となり、交流電源Ｐから照明装置３への電力の供給も切断される。この挙動は、図３のフローチャートでは、Ｓ２またはＳ３からＳ５への遷移である。すると、Ｓ５では、照明装置３の制御部４１が、この電圧変動パターンが「消灯信号」の電圧変動パターンと一致するか否かを判定する。ここでは、時刻Ｔ４から４．５秒前の電圧の変動パターンが「消灯信号」の電圧変動パターンと一致する。そのため、照明装置３の制御部４１は、「バッテリーＯＦＦ」および「消灯」となるよう制御を行う（Ｓ５からＳ０への遷移）。これにより、照明装置３は消灯する。
【００４３】
このように、本照明システムでは、スイッチ１２を「閉」操作するだけで、「消灯信号」を生成することができる。そのため、図１のように、複数の照明装置３を備えている場合であっても、スイッチ１２を「閉」操作するだけで、全ての照明装置３を所定の遅延時間経過後に消灯させることができる。
【００４４】
このようにして照明装置３が消灯した状態で、時刻Ｔ５において、スイッチ１２を「開」状態に操作すると、第１タイマーリレー１３，第２タイマーリレー１４および第３タイマーリレー１５のそれぞれのスイッチ１３ｆ，１４ｆおよび１５ｆの状態が同時にそれぞれ「閉」，「開」および「閉」となる。したがって、直流電源１１とパワーリレー１６とは第１タイマーリレー１３を介して導通状態となり、パワーリレー１６が「閉」状態となる。そのため、交流電源Ｐからの電力がパワーリレー１６を介して照明装置３に供給され（Ｓ０からＳ１への遷移）、照明装置３は通常の点灯状態で点灯する（Ｓ１からＳ２またはＳ３への遷移）。
このように、消灯している状態でスイッチ１２を操作した場合には、略同時に全てのリレーの状態が変更され、ほとんどタイムラグなしに照明装置３を点灯させることができる。
【００４５】
一方、図６は照明装置３が交流電源Ｐからの電力によって点灯している状態で、停電等によって交流電源Ｐからの電力の供給が切断された後に、電力の供給が再開された場合のタイムチャートである。
【００４６】
停電等によって、時刻Ｔ１１に交流電源Ｐから制御装置１への電力の供給が切断される。このとき、スイッチ１２は「開」状態である。そのため、第１タイマーリレー１３，第３タイマーリレー１５は「閉」状態であり、第２タイマーリレー１４は「開」状態である。したがって、直流電源１１とパワーリレー１６とは導通状態にあるが、直流電源１１への電力が供給されていないため、パワーリレー１６の第１制御端子１６ｇおよび第２制御端子１６ｈへは電力が供給されず、パワーリレー１６は「開」状態となる。また、パワーリレー１６に対する交流電源Ｐからの電力供給も切断される。したがって、交流電源Ｐから照明装置３への電力供給も切断される。すると、図３のフローチャートでは、Ｓ２またはＳ３からＳ５に遷移する。そして、照明装置３の制御部４１は、Ｔ１１から４．５秒前までの電圧変動パターンが「消灯信号」の電圧変動パターンと一致するか否かを判定する。ここでは、一致しないため、制御部４１は「バッテリーＯＮ」，「半点灯モード」となるよう制御を行う（Ｓ５からＳ６への遷移）。すなわち、照明装置３は非常点灯状態となる（図６のハッチング部分）。
【００４７】
時刻Ｔ１２に停電が復旧し、交流電源Ｐから制御装置１に対する電力の供給が再開される。このとき、スイッチ１２は「開」状態であるため、第１タイマーリレー１３，第２タイマーリレー１４および第３タイマーリレー１５の状態に変化はない。一方、パワーリレー１６には、直流電源１１および交流電源Ｐからの電力の供給が再開されるため、パワーリレー１６は「閉」状態となり、照明装置３に対しても交流電源Ｐからの電力の供給が再開される。すると、Ｓ６からＳ１に遷移し、制御部４１は「バッテリーＯＮ」、かつ、時刻Ｔ１１直前の点灯モードとなるよう、制御を行う（Ｓ１からＳ２またはＳ３への遷移）。
【００４８】
このように、この照明システムでは、点灯中に交流電源Ｐからの電力の供給が切断されると、消灯することなく非常点灯モードに移行し、バッテリー４３によって「半点灯モード」で点灯を継続する。その後、交流電源Ｐからの電力の供給が再開されると、交流電源Ｐからの電力によって、非常点灯状態となる直前の点灯モードでの点灯を再開する。
〔別実施形態〕
（１）本実施形態では、「消灯信号」を判定する際に、交流電源Ｐからの電圧を用いたが、専用の信号を用いても構わない。
（２）本実施形態では、制御装置１に直流電源１１を備えたが、各リレーに交流電力で動作するものを用いれば、直流電源１１は不要となる。この場合、交流電源Ｐを電源とすればよい。
【産業上の利用可能性】
【００４９】
本発明は、外部電力源からの電力が切断された際には内部電力源からの電力により点灯するよう構成された照明装置を用いた照明システムに利用することができる。
【符号の説明】
【００５０】
ｔ１：第１遅延時間
ｔ２：第２遅延時間
ｔ３：第３遅延時間
Ｐ：交流電源（外部電力源）
１：制御装置
１１：直流電源（消灯信号生成部）
１２：スイッチ（操作入力部，消灯信号生成部）
１３：第１タイマーリレー（消灯信号生成部）
１３ａ：制御回路
１３ｂ：第１制御端子
１３ｃ：第２制御端子
１３ｄ：第１端子
１３ｅ：第２端子
１３ｆ：スイッチ
１４：第２タイマーリレー（消灯信号生成部）
１４ａ：制御回路
１４ｂ：第１制御端子
１４ｃ：第２制御端子
１４ｄ：第１端子
１４ｅ：第２端子
１４ｆ：スイッチ
１５：第３タイマーリレー（消灯信号生成部）
１５ａ：制御回路
１５ｂ：第１制御端子
１５ｃ：第２制御端子
１５ｄ：第１端子
１５ｅ：第２端子
１５ｆ：スイッチ
１６：パワーリレー（消灯信号生成部）
１６ａ：第１端子
１６ｂ：第２端子
１６ｃ：第３端子
１６ｄ：第４端子
１６ｅ：第１スイッチ
１６ｆ：第２スイッチ
１６ｇ：第１制御端子
１６ｈ：第２制御端子
１６ｉ：制御部
２：電線
３：照明装置
３５：ＬＥＤ（光源）
４：照明制御装置
４３：バッテリー（内部電力源）
【要約】
【課題】外部電力源からの電力が切断された際には内部電力源からの電力により点灯するよう構成された照明装置を用いた照明システムにおいて、簡易な操作で消灯させる技術を提供する。
【解決手段】照明装置は、照明制御装置と、光源と、内部電力源と、を備えている。照明制御装置は、光源が点灯している状態で外部電力源からの電力供給が切断された際に、内部電力源からの電力により光源を点灯させる非常点灯状態とする制御を行う。また、照明制御装置は、所定の消灯信号を受信した際に、前記光源を消灯させる制御を行う。制御装置は、単一の人為的操作をうける操作入力部と、操作入力部に対する人為的操作に基づいて消灯信号を生成し、照明装置に送信する消灯信号生成部と、を備えている。
【選択図】図５【図１】
0006016318.tif 000002
【図２】
0006016318.tif 000003
【図３】
0006016318.tif 000004
【図４】
0006016318.tif 000005
【図５】
0006016318.tif 000006
【図６】
0006016318.tif 000007